(57)【特許請求の範囲】
【請求項１】
スパイラル状又は同心円状のトラックが形成された光ディスクの記録面に光を照射し、該記録面にマーク領域及びスペース領域を形成することで情報の記録を行ない、光ディスクの記録面に光を照射し、該記録面に形成されたマーク領域及びスペース領域を検出することで情報の再生を行なう光ディスク装置であって、
光ディスクの記録面からの反射光を、少なくとも前記トラックの接線方向に対応する方向の分割線によって２分割された第１の受光領域と第２の受光領域とで受光し、前記第１の受光領域から第１の光電変換信号を出力し、前記第２の受光領域から第２の光電変換信号を出力する光検出器と；
前記第１の光電変換信号を第１のゲインで調整する第１の信号調整回路と；
前記第２の光電変換信号を第２のゲインで調整する第２の信号調整回路と；
前記第１の信号調整回路の出力信号の振幅と記録中の前記第１の信号調整回路の出力信号の平均レベルとをそれぞれ検出し、それらの一方を第１の判定値として選択するとともに、前記第２の信号調整回路の出力信号の振幅と記録中の前記第２の信号調整回路の出力信号の平均レベルとをそれぞれ検出し、前記第１の判定値に対応する一方を第２の判定値として選択し、前記第１の判定値と前記第２の判定値とが互いに等しくなるように、前記第１のゲイン及び前記第２のゲインの少なくとも一方を決定するゲイン決定回路と；
前記第１の信号調整回路の出力信号と前記第２の信号調整回路の出力信号との差信号を生成する差信号生成回路と；
前記差信号を用いて、情報の記録及び再生を行なう処理装置と；を備える光ディスク装置。
【請求項２】
前記第１の信号調整回路及び前記第２の信号調整回路の少なくとも一方は、ゲインコントロールアンプ回路を含むことを特徴とする請求項１に記載の光ディスク装置。
【請求項３】
前記ゲイン決定回路は、前記第１の判定値が予め設定されている目標値とほぼ一致するように、前記第１のゲインを決定することを特徴とする請求項１又は２に記載の光ディスク装置。
【請求項４】
前記ゲイン決定回路は、前記第２の判定値が予め設定されている目標値とほぼ一致するように、前記第２のゲインを決定することを特徴とする請求項１〜３のいずれか一項に記載の光ディスク装置。
【請求項５】
前記ゲイン決定回路は、前記光ディスクの種類に応じて、前記第１の信号調整回路の出力信号の振幅及び平均レベルの一方を前記第１の判定値として選択し、かつ前記第２の信号調整回路の出力信号の振幅及び平均レベルのうちの前記第１の判定値に対応する一方を前記第２の判定値として選択することを特徴とする請求項１〜４のいずれか一項に記載の光ディスク装置。
【請求項６】
前記光ディスクは書き換え可能な光ディスクであり、
前記ゲイン決定回路は、前記第１の信号調整回路の出力信号の振幅を前記第１の判定値として選択し、かつ前記第２の信号調整回路の出力信号の振幅を前記第２の判定値として選択することを特徴とする請求項５に記載の光ディスク装置。
【請求項７】
前記光ディスクはＤＶＤ＋ＲＷの規格に準拠する光ディスクであることを特徴とする請求項６に記載の光ディスク装置。
【請求項８】
前記光ディスクからデータを再生する場合に、前記ゲイン決定回路は、前記第１の信号調整回路の出力信号の振幅を前記第１の判定値として選択し、かつ前記第２の信号調整回路の出力信号の振幅を前記第２の判定値として選択することを特徴とする請求項１〜４のいずれか一項に記載の光ディスク装置。
【請求項９】
前記光ディスクにデータを記録する場合に、前記ゲイン決定回路は、前記第１の信号調整回路の出力信号の平均レベルを前記第１の判定値として選択し、かつ前記第２の信号調整回路の出力信号の平均レベルを前記第２の判定値として選択することを特徴とする請求項５又は８に記載の光ディスク装置。
【請求項１０】
前記光ディスクは追記型の光ディスクであることを特徴とする請求項８又は９に記載の光ディスク装置。
【請求項１１】
前記光ディスクはＤＶＤ＋Ｒの規格に準拠する光ディスクであることを特徴とする請求項１０に記載の光ディスク装置。
【発明の詳細な説明】
【技術分野】
【０００１】
本発明は、光ディスク装置に係り、さらに詳しくは、光ディスクの記録面に光を照射し、情報の記録及び再生を行なう光ディスク装置に関する。
【背景技術】
【０００２】
近年、デジタル技術の進歩及びデータ圧縮技術の向上に伴い、音楽、映画、写真及びコンピュータソフトなどのユーザデータを記録するための媒体として、ＣＤ（compact disc）や、ＣＤの約７倍相当のデータをＣＤと同じ直径のディスクに記録可能としたＤＶＤ（digital versatile disc）などの光ディスクが注目されるようになり、その低価格化とともに、光ディスクをデータ記録の対象媒体とする光ディスク装置が普及するようになった。
【０００３】
光ディスクでは、互いに反射率の異なるマーク領域及びスペース領域のそれぞれの長さとそれらの組み合わせとによって情報が記録される。そこで、光ディスクに情報を記録する際には所定位置にマーク領域及びスペース領域がそれぞれ形成されるように光源から出射されるレーザ光のパワー（以下「発光パワー」ともいう）が制御される。
【０００４】
記録面に有機色素を含むＣＤ−Ｒ（ＣＤ−recordable）、ＤＶＤ−Ｒ（ＤＶＤ−recordable）及びＤＶＤ＋Ｒ（ＤＶＤ＋recordable）などの追記型の光ディスクでは、マーク領域を形成するときには発光パワーを大きくして色素を加熱及び溶解し、そこに接しているディスク基板部分を変質・変形させている。一方、スペース領域を形成するときにはディスク基板が変質・変形しないように発光パワーを再生時と同程度に小さくしている。これにより、マーク領域ではスペース領域よりも反射率が低くなる。このような発光パワーの制御方式は、単パルス記録方式とも呼ばれている。なお、マーク領域を形成するときの発光パワーはライトパワー、スペース領域を形成するときの発光パワーはボトムパワーとも呼ばれている。
【０００５】
また、記録面に特殊合金を含むＣＤ−ＲＷ（ＣＤ−rewritable）、ＤＶＤ−ＲＷ（ＤＶＤ−rewritable）、及びＤＶＤ＋ＲＷ（ＤＶＤ＋rewritable）などの書き換え可能な光ディスクでは、マーク領域を形成する時には、特殊合金を第１の温度に加熱したのち急冷し、アモルファス（非晶質）状態にしている。一方、スペース領域を形成する時には、特殊合金を第２の温度（＜第１の温度）に加熱したのち徐冷し、結晶状態にしている。これにより、マーク領域ではスペース領域よりも反射率が低くなる。この場合には、蓄熱の影響を除去するために、マーク領域を形成するときの発光パワーを複数のパルスに分割（マルチパルス化）することが行なわれている。このような発光パワーの制御方式はマルチパルス記録方式とも呼ばれている。マルチパルス化された発光パワーの最大値はピークパワー、最小値はボトムパワーとも呼ばれている。また、スペース領域を形成するときの発光パワーはイレーズパワー（ピークパワー＞イレーズパワー＞ボトムパワー）とも呼ばれている。なお、記録速度の高速化に伴い、色素型ディスクであっても、例えばＤＶＤ系の光ディスク（ＤＶＤ−Ｒ、ＤＶＤ＋Ｒなど）では、マルチパルス記録方式が提案されている。
【０００６】
上記追記型の光ディスクや書き換え可能な光ディスクでは、あらかじめ製造時にトラックを蛇行（ウォブリング）させ、その蛇行形状を変調することにより情報を付加している。例えばＤＶＤ＋Ｒ及びＤＶＤ＋ＲＷ（以下、便宜上「ＤＶＤ＋系」ともいう）では位相変調方式が用いられている。
【０００７】
そこで、例えばＤＶＤ＋系に対応した光ディスク装置では、光ディスクへのアクセスの際に、光源から出射されトラックで反射した戻り光束から蛇行形状に対応したウォブル信号を検出し、該ウォブル信号から基準クロック信号を生成する（例えば、特許文献１参照）とともに、該基準クロック信号に同期してウォブル信号を位相復調し、前記情報を取得している。ＤＶＤ＋系では、トラックに付加されている前記情報として特に重要なものはアドレス情報に対応する情報である。光ディスク装置では、ユーザデータを記録する際に、アドレス情報及び基準クロック信号に基づいて記録位置の制御を行なっている。
【０００８】
そこで、アドレス情報が正しく検出できないと、所定の領域にユーザデータを記録することができなくなり、記録エラーを生じる場合がある。特に、追記型であるＤＶＤ＋Ｒにおいては、記録エラーを発生させるとその光ディスクは再使用が不可となってしまう。従って、ウォブル信号を精度良く検出することは非常に重要である。
【０００９】
ウォブル信号は、トラックからの反射光に基づいて検出されるが、光ディスクに記録されている記録データやレーザ光出力の変動などにより、反射光にはウォブル信号に対してノイズとなる成分が複雑に含まれている。そこで、例えばトラックからの反射光をトラックの接線方向に対応する方向の分割線で２分割された受光素子（２分割受光素子）で受光し、各受光素子の出力信号（光電変換信号）に対して、それぞれ所定のレベル調整を行った後、それらの信号の差信号、すなわちプッシュプル信号を生成し、ウォブル信号を検出する装置が提案されている（例えば、特許文献２〜特許文献６参照）。
【００１０】
ところで、受光素子から出力される信号の信号特性は、トラックからの反射光にＲＦ信号成分が含まれている場合とＲＦ信号成分が含まれていない場合とで大きく異なっている。そこで、記録時及び再生時のいずれにおいてもノイズレベルの低いプッシュプル信号を生成するためには、トラックからの反射光にＲＦ信号成分が含まれている場合にプッシュプル信号を生成する回路と、トラックからの反射光にＲＦ信号成分が含まれていない場合にプッシュプル信号を生成する回路とが必要であり、光ディスク装置の小型化に対する障害の一つとなっていた。
【００１１】
【特許文献１】特開２００１−３５０９０号公報
【特許文献２】特開２００１−２６６４８６号公報
【特許文献３】特開２００２−１１７５３６号公報
【特許文献４】特開２００３−５９０５６号公報
【特許文献５】特開２００３−７７１３０号公報
【特許文献６】特開平８−１９４９６９号公報
【発明の開示】
【発明が解決しようとする課題】
【００１２】
本発明は、かかる事情の下になされたもので、その目的は、大型化を招くことなく、光ディスクに対する記録及び再生を安定して行うことができる光ディスク装置を提供することにある。
【課題を解決するための手段】
【００１４】
請求項１に記載の発明は、スパイラル状又は同心円状のトラックが形成された光ディスクの記録面に光を照射し、該記録面にマーク領域及びスペース領域を形成することで情報の記録を行ない、光ディスクの記録面に光を照射し、該記録面に形成されたマーク領域及びスペース領域を検出することで情報の再生を行なう光ディスク装置であって、光ディスクの記録面からの反射光を、少なくとも前記トラックの接線方向に対応する方向の分割線によって２分割された第１の受光領域と第２の受光領域とで受光し、前記第１の受光領域から第１の光電変換信号を出力し、前記第２の受光領域から第２の光電変換信号を出力する光検出器と；前記第１の光電変換信号を第１のゲインで調整する第１の信号調整回路と；前記第２の光電変換信号を第２のゲインで調整する第２の信号調整回路と；前記第１の信号調整回路の出力信号の振幅と記録中の前記第１の信号調整回路の出力信号の平均レベルとをそれぞれ検出し、それらの一方を第１の判定値として選択するとともに、前記第２の信号調整回路の出力信号の振幅と記録中の前記第２の信号調整回路の出力信号の平均レベルとをそれぞれ検出し、前記第１の判定値に対応する一方を第２の判定値として選択し、前記第１の判定値と前記第２の判定値とが互いに等しくなるように、前記第１のゲイン及び前記第２のゲインの少なくとも一方を決定するゲイン決定回路と；前記第１の信号調整回路の出力信号と前記第２の信号調整回路の出力信号との差信号を生成する差信号生成回路と；前記差信号を用いて、情報の記録及び再生を行なう処理装置と；を備える光ディスク装置である。
【００１５】
これによれば、スパイラル状又は同心円状のトラックが形成された光ディスクの記録面からの反射光は、その受光面が少なくともトラックの接線方向に対応する方向の分割線によって第１の受光領域と第２の受光領域とに２分割されている光検出器で受光される。第１の受光領域からの第１の光電変換信号は、第１の信号調整回路により第１のゲインで調整される。一方、第２の受光領域からの第２の光電変換信号は、第２の信号調整回路により第２のゲインで調整される。そして、ゲイン決定回路により、第１の信号調整回路の出力信号の振幅と記録中の第１の信号調整回路の出力信号の平均レベルとがそれぞれ検出される。また、ゲイン決定回路により、第２の信号調整回路の出力信号の振幅と記録中の第２の信号調整回路の出力信号の平均レベルとがそれぞれ検出される。そして、ゲイン決定回路により、第１の信号調整回路の出力信号の振幅及び平均レベルの一方が第１の判定値として選択されるとともに、第２の信号調整回路の出力信号の振幅及び平均レベルのうちの第１の判定値に対応する一方が第２の判定値として選択され、第１の判定値と第２の判定値とが互いに等しくなるように、第１のゲイン及び第２のゲインの少なくとも一方が決定される。これにより、従来よりも簡単な回路構成でノイズレベルの低い差信号を差信号生成回路にて生成することができる。そして、この差信号に基づいて、例えば記録面に形成される光スポットの位置を精度良く制御することが可能となる。従って、結果として大型化を招くことなく、光ディスクに対する記録及び再生を安定して行うことができる。
【００１６】
この場合において、請求項２に記載の光ディスク装置の如く、前記第１の信号調整回路及び前記第２の信号調整回路の少なくとも一方は、ゲインコントロールアンプ回路を含むこととすることができる。
【００１７】
上記請求項１及び２に記載の各光ディスク装置において、請求項３に記載の光ディスク装置の如く、前記ゲイン決定回路は、前記第１の判定値が予め設定されている目標値とほぼ一致するように、前記第１のゲインを決定することとすることができる。
【００１８】
上記請求項１〜３に記載の各光ディスク装置において、請求項４に記載の光ディスク装置の如く、前記ゲイン決定回路は、前記第２の判定値が予め設定されている目標値とほぼ一致するように、前記第２のゲインを決定することとすることができる。
【００２２】
上記請求項１〜４に記載の各光ディスク装置において、請求項５に記載の光ディスク装置の如く、前記ゲイン決定回路は、前記光ディスクの種類に応じて、前記第１の信号調整回路の出力信号の振幅及び平均レベルの一方を前記第１の判定値として選択し、かつ前記第２の信号調整回路の出力信号の振幅及び平均レベルのうちの前記第１の判定値に対応する一方を前記第２の判定値として選択することすることができる。
【００２３】
この場合において、請求項６に記載の光ディスク装置の如く、前記光ディスクは書き換え可能な光ディスクであり、前記ゲイン決定回路は、前記第１の信号調整回路の出力信号の振幅を前記第１の判定値として選択し、かつ前記第２の信号調整回路の出力信号の振幅を前記第２の判定値として選択することとすることができる。
【００２４】
この場合において、請求項７に記載の光ディスク装置の如く、前記光ディスクはＤＶＤ＋ＲＷの規格に準拠する光ディスクであることとすることができる。
【００２５】
上記請求項１〜４に記載の各光ディスク装置において、請求項８に記載の光ディスク装置の如く、前記光ディスクからデータを再生する場合に、前記ゲイン決定回路は、前記第１の信号調整回路の出力信号の振幅を前記第１の判定値として選択し、かつ前記第２の信号調整回路の出力信号の振幅を前記第２の判定値として選択することとすることができる。
【００２６】
上記請求項５及び８に記載の各光ディスク装置において、請求項９に記載の光ディスク装置の如く、前記光ディスクにデータを記録する場合に、前記ゲイン決定回路は、前記第１の信号調整回路の出力信号の平均レベルを前記第１の判定値として選択し、かつ前記第２の信号調整回路の出力信号の平均レベルを前記第２の判定値として選択することとすることができる。
【００２７】
上記請求項８及び９に記載の各光ディスク装置において、請求項１０に記載の光ディスク装置の如く、前記光ディスクは追記型の光ディスクであることとすることができる。
【００２８】
この場合において、請求項１１に記載の光ディスク装置の如く、前記光ディスクはＤＶＤ＋Ｒの規格に準拠する光ディスクであることとすることができる。
【発明を実施するための最良の形態】
【００２９】
以下、本発明の一実施形態を図１〜図９に基づいて説明する。図１には、本発明の一実施形態に係る光ディスク装置２０の概略構成が示されている。
【００３０】
この図１に示される光ディスク装置２０は、本発明の一実施形態に係る光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、フラッシュメモリ３９、ＣＰＵ４０及びＲＡＭ４１などを備えている。なお、図１における接続線は、代表的な信号や情報の流れを示すものであり、各ブロックの接続関係の全てを表すものではない。なお、本実施形態では、一例としてＤＶＤ＋Ｒの規格に準拠した情報記録媒体が光ディスク１５に用いられるものとする。
【００３１】
前記光ピックアップ装置２３は、光ディスク１５のスパイラル状又は同心円状のトラックが形成された記録面にレーザ光を照射するとともに、記録面からの反射光を受光するための装置である。この光ピックアップ装置２３は、一例として図２に示されるように、光源ユニット５１、コリメートレンズ５２、ビームスプリッタ５４、対物レンズ６０、検出レンズ５８、光検出器としての受光器ＰＤ、及び駆動系（フォーカシングアクチュエータ、トラッキングアクチュエータ及びシークモータ（いずれも図示省略））などを備えている。
【００３２】
前記光源ユニット５１は、波長が６６０ｎｍのレーザ光を発光する光源としての半導体レーザＬＤを含んで構成されている。なお、本実施形態では、光源ユニット５１から出射されるレーザ光の光束の最大強度出射方向を＋Ｘ方向とする。
【００３３】
前記コリメートレンズ５２は、光源ユニット５１の＋Ｘ側に配置され、光源ユニット５１から出射された光束を略平行光とする。
【００３４】
前記ビームスプリッタ５４は、コリメートレンズ５２の＋Ｘ側に配置され、コリメートレンズ５２で略平行光とされた光束をそのまま透過させる。また、ビームスプリッタ５４は、光ディスク１５の記録面で反射され、前記対物レンズ６０を介して入射する光束（戻り光束）を−Ｚ方向に分岐する。
【００３５】
前記対物レンズ６０は、ビームスプリッタ５４の＋Ｘ側に配置され、ビームスプリッタ５４を透過した光束を光ディスク１５の記録面に集光する。
【００３６】
前記検出レンズ５８は、ビームスプリッタ５４の−Ｚ側に配置され、ビームスプリッタ５４で−Ｚ方向に分岐された戻り光束ＲＢを前記受光器ＰＤの受光面に集光する。
【００３７】
受光器ＰＤの受光面は、図３に示されるように、トラック（点線で図示されている）の接線方向に対応する方向Ｄtan（図３における紙面上下方向）の分割線DL１によって２分割され、さらにトラックの接線方向に直交する方向に対応する方向Ｄrad（図３における紙面左右方向）の分割線DL２によって２分割されている。すなわち、受光器ＰＤの受光面は、４つの受光領域（ＰＤａ、ＰＤｂ、ＰＤｃ、ＰＤｄ）に分割されている。前記受光領域ＰＤａは分割線DL１の図３における紙面左側で、かつ分割線DL２の図３における紙面上側に位置している。前記受光領域ＰＤｂは前記受光領域ＰＤａの図３における紙面右側に位置している。前記受光領域ＰＤｃは前記受光領域ＰＤｂの図３における紙面下側に位置している。前記受光領域ＰＤｄは前記受光領域ＰＤａの図３における紙面下側に位置している。そして、各受光領域からは、それぞれ受光量に応じた信号が再生信号処理回路２８に出力される。なお、受光器ＰＤはその受光面のほぼ中央で戻り光束ＲＢを受光するように配置されている。
【００３８】
前記フォーカシングアクチュエータ（図示省略）は、対物レンズ６０の光軸方向であるフォーカス方向（ここではＸ軸方向）に対物レンズ６０を微少駆動するためのアクチュエータである。
【００３９】
前記トラッキングアクチュエータ（図示省略）は、トラックの接線方向に直交する方向であるトラッキング方向（ここではＺ軸方向）に対物レンズ６０を微少駆動するためのアクチュエータである。
【００４０】
前記シークモータ（図示省略）は、スレッジ方向（ここではＺ軸方向）に光ピックアップ装置自体を駆動するためのモータである。
【００４１】
図１に戻り、前記フラッシュメモリ３９はプログラム領域とデータ領域とを備えており、プログラム領域には、ＣＰＵ４０にて解読可能なコードで記述されたプログラムが格納されている。また、データ領域には、半導体レーザＬＤの発光特性に関する情報、光ピックアップ装置２３のシーク動作に関する情報（以下「シーク情報」ともいう）、及び記録条件などが格納されている。
【００４２】
前記バッファＲＡＭ３４は、光ディスク１５に記録するデータ（記録用データ）、及び光ディスク１５から再生したデータ（再生データ）などが一時的に格納されるバッファ領域と、各種プログラム変数などが格納される変数領域とを有している。
【００４３】
前記バッファマネージャ３７は、バッファＲＡＭ３４へのデータの入出力を管理する。そして、バッファ領域に蓄積されたデータ量が所定量になるとＣＰＵ４０に通知する。
【００４４】
前記エンコーダ２５は、ＣＰＵ４０の指示に基づいて、バッファＲＡＭ３４に蓄積されている記録用データをバッファマネージャ３７を介して取り出し、データ変調及びエラー訂正コードの付加などを行ない、光ディスク１５への書き込み信号を生成する。ここで生成された書き込み信号はレーザコントロール回路２４に出力される。
【００４５】
前記レーザコントロール回路２４は、半導体レーザＬＤの発光特性、及びエンコーダ２５からの書き込み信号などに基づいて半導体レーザＬＤの駆動信号を生成する。すなわち、光ディスク１５に照射されるレーザ光のパワーを制御する。
【００４６】
前記インターフェース３８は、ホストとの双方向の通信インターフェースであり、一例としてＡＴＡＰＩ（AT Attachment Packet Interface）の規格に準拠している。
【００４７】
前記再生信号処理回路２８は、図４に示されるように、Ｉ／Ｖアンプ２８ａ、サーボ信号検出回路２８ｂ、ウォブル信号検出回路２８ｃ、ＲＦ信号検出回路２８ｄ、及びデコーダ２８ｅなどから構成されている。
【００４８】
上記Ｉ／Ｖアンプ２８ａは、受光器５９の出力信号である電流信号を電圧信号に変換するとともに、所定のゲインで増幅する。ここで変換された電圧信号は、上記サーボ信号検出回路２８ｂ、ウォブル信号検出回路２８ｃ、及びＲＦ信号検出回路２８ｄに出力される。
【００４９】
前記サーボ信号検出回路２８ｂは、Ｉ／Ｖアンプ２８ａの出力信号に基づいてサーボ信号（フォーカスエラー信号及びトラックエラー信号など）を検出する。ここで検出されたサーボ信号はサーボコントローラ３３に出力される。
【００５０】
前記ウォブル信号検出回路２８ｃは、Ｉ／Ｖアンプ２８ａの出力信号に基づいてウォブル信号Ｓwbを検出する。このウォブル信号検出回路２８ｃは、一例として図５に示されるように、２つの加算回路（ｃ１、ｃ１０）、２つのゲインコントロールアンプ回路（ＧＣＡ回路：ｃ２（第１の信号調整回路）、ｃ１１（第２の信号調整回路））、２つの振幅検出回路（ｃ３、ｃ１２）、２つの平均レベル検出回路（ｃ４、ｃ１３）、２つの切替スイッチ（ｃ５、ｃ１４）、２つの比較回路（ｃ６、ｃ１５）、２つのチャージポンプ（ｃ７、ｃ１６）、Ｄ／Ａ変換器ｃ８、２つのコンデンサ（ｃ９、ｃ１７）、及び減算回路ｃ１８（差信号生成回路）などを有している。
【００５１】
上記加算回路ｃ１は、Ｉ／Ｖアンプ２８ａの出力信号ＳｂとＳｃをそれぞれ加算した信号Ｓc1を生成する。ここで、信号Ｓｂは受光領域ＰＤｂの出力信号に対応するＩ／Ｖアンプ２８ａの出力信号であり、信号Ｓｃは受光領域ＰＤｃの出力信号に対応するＩ／Ｖアンプ２８ａの出力信号である。すなわち、加算回路ｃ１からは第１の光電変換信号に対応する信号Ｓc1が出力される。加算回路ｃ１からの信号Ｓc1はゲインコントロールアンプ回路ｃ２に出力される。
【００５２】
前記ゲインコントロールアンプ回路ｃ２は、第１のゲインで加算回路ｃ１の出力信号Ｓc1を調整する。調整後の信号Ｓc2は、減算回路ｃ１８、振幅検出回路ｃ３及び平均レベル検出回路ｃ４に出力される。なお、第１のゲインは第１のゲインコントロール電圧Ｖg1によって所定の範囲（例えば−６ｄＢ〜＋６ｄＢ）内で変更可能である。ここでは、第１のゲインコントロール電圧Ｖg1が大きくなると第１のゲインは大きくなり、第１のゲインコントロール電圧Ｖg1が小さくなると第１のゲインは小さくなるように設定されている。
【００５３】
前記振幅検出回路ｃ３は、ゲインコントロールアンプ回路ｃ２の出力信号Ｓc2の振幅を検出する。ここでの検出結果は切替スイッチｃ５に出力される。なお、振幅検出回路ｃ３は、例えばピークレベル検出回路及びボトムレベル検出回路などを含んで構成することができる。
【００５４】
前記平均レベル検出回路ｃ４は、ゲインコントロールアンプ回路ｃ２の出力信号Ｓc2の平均レベルを検出する。ここでの検出結果は切替スイッチｃ５に出力される。なお、平均レベル検出回路ｃ４は、例えばローパスフィルタなどを含んで構成することができる。
【００５５】
前記切替スイッチｃ５は、ＣＰＵ４０からの選択信号Ｓselに基づいて、振幅検出回路ｃ３の出力信号及び平均レベル検出回路ｃ４の出力信号の一方を選択する。ここでは一例として、選択信号Ｓselが０（ローレベル）のときに振幅検出回路ｃ３の出力信号が選択され、選択信号Ｓselが１（ハイレベル）のときに平均レベル検出回路ｃ４の出力信号が選択されるように設定されている。切替スイッチｃ５の出力信号は第１の判定値として比較回路ｃ６の一方の入力となる。
【００５６】
前記Ｄ／Ａ変換器ｃ８は、ＣＰＵ４０からの目標電圧信号Ｓtgtをアナログ信号に変換する。このＤ／Ａ変換器ｃ８で変換された信号は目標値として、比較回路ｃ６及び比較回路ｃ１５に出力される。
【００５７】
前記比較回路ｃ６は、切替スイッチｃ５の出力信号とＤ／Ａ変換器ｃ８の出力信号とを比較する。その比較結果は、チャージポンプｃ７に出力される。
【００５８】
前記チャージポンプｃ７は、比較回路ｃ６での比較結果に応じてコンデンサｃ９の充電あるいは放電を行なう。ここでは、切替スイッチｃ５の出力信号がＤ／Ａ変換器ｃ８の出力信号よりも小さい場合にコンデンサｃ９を充電し、切替スイッチｃ５の出力信号がＤ／Ａ変換器ｃ８の出力信号よりも大きい場合にコンデンサｃ９を放電するように設定されている。そして、コンデンサｃ９が充電されると前記第１のゲインコントロール電圧Ｖg1が大きくなり、コンデンサｃ９が放電されると前記第１のゲインコントロール電圧Ｖg1が小さくなるように設定されている。すなわち、ゲインコントロールアンプ回路ｃ２の出力信号Ｓc2は、その振幅あるいは平均レベルが目標値とほぼ一致するように制御されることとなる。
【００５９】
前記加算回路ｃ１０は、Ｉ／Ｖアンプ２８ａの出力信号ＳａとＳｄを加算した信号を生成する。ここで、信号Ｓａは受光領域ＰＤａの出力信号に対応するＩ／Ｖアンプ２８ａの出力信号であり、信号Ｓｄは受光領域ＰＤｄの出力信号に対応するＩ／Ｖアンプ２８ａの出力信号である。すなわち、加算回路ｃ１０からは第２の光電変換信号に対応する信号Ｓc10が出力される。加算回路ｃ１０からの信号Ｓc10はゲインコントロールアンプ回路ｃ１１に出力される。
【００６０】
前記ゲインコントロールアンプ回路ｃ１１は、第２のゲインで加算回路ｃ１０の出力信号Ｓc10を調整する。調整後の信号Ｓc11は、減算回路ｃ１８、振幅検出回路ｃ１２及び平均レベル検出回路ｃ１３に出力される。なお、第２のゲインは第２のゲインコントロール電圧Ｖg2によって所定の範囲（例えば−６ｄＢ〜＋６ｄＢ）内で変更可能である。ここでは、第２のゲインコントロール電圧Ｖg2が大きくなると第２のゲインは大きくなり、第２のゲインコントロール電圧Ｖg2が小さくなると第２のゲインは小さくなるように設定されている。
【００６１】
前記振幅検出回路ｃ１２は、ゲインコントロールアンプ回路ｃ１１の出力信号Ｓc11の振幅を検出する。ここでの検出結果は切替スイッチｃ１４に出力される。なお、振幅検出回路ｃ１２は、例えばピークレベル検出回路及びボトムレベル検出回路などを含んで構成することができる。
【００６２】
前記平均レベル検出回路ｃ１３は、ゲインコントロールアンプ回路ｃ１１の出力信号Ｓc11の平均レベルを検出する。ここでの検出結果は切替スイッチｃ１４に出力される。なお、平均レベル検出回路ｃ１３は、例えばローパスフィルタなどを含んで構成することができる。
【００６３】
前記切替スイッチｃ１４は、ＣＰＵ４０からの選択信号Ｓselに基づいて、振幅検出回路ｃ１２の出力信号及び平均レベル検出回路ｃ１３の出力信号の一方を選択する。ここでは一例として、選択信号Ｓselが０（ローレベル）のときに振幅検出回路ｃ１２の出力信号が選択され、選択信号Ｓselが１（ハイレベル）のときに平均レベル検出回路ｃ１３の出力信号が選択されるように設定されている。切替スイッチｃ１４の出力信号は第２の判定値として比較回路ｃ１５の一方の入力信号となる。
【００６４】
前記比較回路ｃ１５は、切替スイッチｃ１４の出力信号とＤ／Ａ変換器ｃ８の出力信号とを比較する。その比較結果は、チャージポンプｃ１６に出力される。
【００６５】
前記チャージポンプｃ１７は、比較回路ｃ１５での比較結果に応じてコンデンサｃ１７の充電あるいは放電を行なう。ここでは、切替スイッチｃ１４の出力信号がＤ／Ａ変換器ｃ８の出力信号よりも小さい場合にコンデンサｃ１７を充電し、切替スイッチｃ１４の出力信号がＤ／Ａ変換器ｃ８の出力信号よりも大きい場合にコンデンサｃ１７を放電するように設定されている。そして、コンデンサｃ１７が充電されると前記第２のゲインコントロール電圧Ｖg2が大きくなり、コンデンサｃ１７が放電されると前記第２のゲインコントロール電圧Ｖg2が小さくなるように設定されている。すなわち、ゲインコントロールアンプ回路ｃ１１の出力信号Ｓc11は、その振幅あるいは平均レベルが目標値とほぼ一致するように制御されることとなる。
【００６６】
前記減算回路ｃ１８は、ゲインコントロールアンプ回路ｃ２の出力信号Ｓc2からゲインコントロールアンプ回路ｃ１１の出力信号Ｓc11を減算し、減算信号（プッシュプル信号）を生成する。ここで生成された減算信号は、ウォブル信号Ｓwbとして、デコーダ２８ｅに出力される。
【００６７】
前記ＲＦ信号検出回路２８ｄは、Ｉ／Ｖアンプ２８ａの出力信号に基づいてＲＦ信号を検出する。
【００６８】
前記デコーダ２８ｅは、ウォブル信号検出回路２８ｃで検出されたウォブル信号Ｓwbを復調し、アドレス情報などを取得する。ここで取得されたアドレス情報はＣＰＵ４０に出力される。また、デコーダ２８ｅは、ＲＦ信号検出回路２８ｄで検出されたＲＦ信号に対して復号処理及び誤り検出処理などを行い、誤りが検出されたときには誤り訂正処理を行った後、再生データとしてバッファマネージャ３７を介してバッファＲＡＭ３４に格納する。なお、ＲＦ信号にはアドレス情報が含まれており、ＲＦ信号から抽出されたアドレス情報はＣＰＵ４０に出力される。
【００６９】
図１に戻り、前記サーボコントローラ３３は、サーボ信号検出回路２８ｂからのフォーカスエラー信号に基づいてフォーカスずれを補正するためのフォーカス制御信号を生成するとともに、トラックエラー信号に基づいてトラックずれを補正するためのトラッキング制御信号を生成する。ここで生成された各制御信号は、サーボオンのときにモータドライバ２７に出力され、サーボオフのときには出力されない。サーボオン及びサーボオフはＣＰＵ４０によって設定される。
【００７０】
前記モータドライバ２７は、上記フォーカス制御信号に基づいて前記フォーカシングアクチュエータの駆動信号を光ピックアップ装置２３に出力し、上記トラッキング制御信号に基づいて前記トラッキングアクチュエータの駆動信号を光ピックアップ装置２３に出力する。すなわち、サーボ信号検出回路２８ｂ、サーボコントローラ３３及びモータドライバ２７によってトラッキング制御及びフォーカス制御が行われる。また、モータドライバ２７は、ＣＰＵ４０からの制御信号に基づいてスピンドルモータ２２及び前記シークモータの駆動信号をそれぞれ出力する。
【００７１】
前記ＣＰＵ４０は、フラッシュメモリ３９のプログラム領域に格納されているプログラムに従って上記各部の動作を制御するとともに、制御に必要なデータなどをバッファＲＡＭ３４の変数領域及びＲＡＭ４１に保存する。
【００７２】
《再生処理》
次に、ホストから再生要求コマンドを受信したときの光ディスク装置２０における処理（再生処理）について図６を用いて説明する。この図６のフローチャートは、ＣＰＵ４０によって実行される一連の処理アルゴリズムに対応し、ホストから再生要求コマンドを受信すると、図６のフローチャートに対応するプログラムの先頭アドレスがＣＰＵ４０のプログラムカウンタにセットされ、再生処理がスタートする。なお、ここでは、一例として第１のゲイン及び第２のゲインは初期値としてそれぞれ増幅率がほぼ１（０ｄＢ）となるように設定されているものとする。
【００７３】
最初のステップ４０１では、再生速度に基づいてスピンドルモータ２２の回転を制御するための制御信号をモータドライバ２７に出力するとともに、ホストから再生要求コマンドを受信した旨を再生信号処理回路２８に通知する。
【００７４】
次のステップ４０３では、選択信号Ｓselに０を設定する。これにより、ウォブル信号検出回路２８ｃの切替スイッチｃ５では振幅検出回路ｃ３の出力信号が選択される。また、切替スイッチｃ１４では振幅検出回路ｃ１２の出力信号が選択される。
【００７５】
次のステップ４０５では、目標電圧信号Ｓtgtに振幅の目標電圧（Ｖaとする）に対応する値を設定する。これにより、例えば、加算回路ｃ１の出力信号Ｓc1の振幅が目標電圧Ｖaの約２／３の場合（図７のＳc1参照）には、第１のゲインが約１．５倍となり、ゲインコントロールアンプ回路ｃ２の出力信号Ｓc2の振幅が目標電圧Ｖaとほぼ一致する（図７のＳc2参照）ようになる。また、例えば、加算回路ｃ１０の出力信号Ｓc10の振幅が目標電圧Ｖaの約１．５倍の場合（図７のＳc10参照）には、第２のゲインが約２／３となり、ゲインコントロールアンプ回路ｃ１１の出力信号Ｓc11の振幅が目標電圧Ｖaとほぼ一致する（図７のＳc11参照）ようになる。そして、減算回路ｃ１８の出力信号、すなわちウォブル信号Ｓwbは、目標電圧Ｖaのほぼ２倍の振幅を有する信号となる（図７のＳwb参照）。
【００７６】
次のステップ４０７では、光ディスク１５の回転が所定の線速度に達していることを確認すると、サーボコントローラ３３に対してサーボオンを設定する。これにより、前述の如くトラッキング制御及びフォーカス制御が行われる。なお、トラッキング制御及びフォーカス制御は再生処理が終了するまで随時行われる。
【００７７】
次のステップ４０９では、デコーダ２８ｅからのアドレス情報に基づいて現在のアドレスを取得する。
【００７８】
次のステップ４１１では、現在のアドレスと再生要求コマンドから抽出した目標アドレスとの差分（アドレス差）を算出する。
【００７９】
次のステップ４１３では、アドレス差に基づいてシークが必要であるか否かを判断する。ここでは、前記シーク情報の一つとしてフラッシュメモリ３９に格納されている閾値を参照し、アドレス差が閾値を越えていれば、ここでの判断は肯定され、ステップ４１５に移行する。
【００８０】
このステップ４１５では、アドレス差に応じたシークモータの制御信号をモータドライバ２７に出力する。そして、前記ステップ４０９に戻る。
【００８１】
一方、前記ステップ４１３において、シークが必要でなければ、ここでの判断は否定され、ステップ４１７に移行する。
【００８２】
このステップ４１７では、現在のアドレスが目標アドレスと一致しているか否かを判断する。現在のアドレスが目標アドレスと一致していなければ、ここでの判断は否定され、ステップ４１９に移行する。
【００８３】
このステップ４１９では、デコーダ２８ｅからのアドレス情報に基づいて現在のアドレスを取得する。そして、前記ステップ４１７に戻る。
【００８４】
以下、前記ステップ４１７での判断が肯定されるまで、ステップ４１７→４１９の処理を繰り返し行う。
【００８５】
現在のアドレスが目標アドレスと一致すれば、前記ステップ４１７での判断は肯定され、ステップ４２１に移行する。
【００８６】
このステップ４２１では、再生信号処理回路２８に読み取りを指示する。これにより、再生信号処理回路２８にて再生データが取得され、バッファＲＡＭ３４に格納される。この再生データはセクタ単位でバッファマネージャ３７及びインターフェース３８を介してホストに転送される。そして、ホストから指定されたデータの再生がすべて終了すると、所定の終了処理を行った後、再生処理を終了する。
【００８７】
《記録処理》
さらに、ホストからの記録要求コマンドを受信したときの光ディスク装置２０における処理（記録処理）について図８を用いて簡単に説明する。この図８のフローチャートは、ＣＰＵ４０によって実行される一連の処理アルゴリズムに対応し、ホストから記録要求コマンドを受信すると、図８のフローチャートに対応するプログラムの先頭アドレスがＣＰＵ４０のプログラムカウンタにセットされ、記録処理がスタートする。なお、ここでは、一例として第１のゲイン及び第２のゲインは初期値としてそれぞれ増幅率がほぼ１（０ｄＢ）となるように設定されているものとする。
【００８８】
最初のステップ５０１では、記録速度に基づいてスピンドルモータ２２の回転を制御するための制御信号をモータドライバ２７に出力するとともに、ホストから記録要求コマンドを受信した旨を再生信号処理回路２８に通知する。また、ホストから受信したデータ（記録用データ）のバッファＲＡＭ３４への蓄積をバッファマネージャ３７に指示する。
【００８９】
次のステップ５０３では、選択信号Ｓselに１を設定する。これにより、ウォブル信号検出回路２８ｃの切替スイッチｃ５では平均レベル検出回路ｃ４の出力信号が選択される。また、切替スイッチｃ１４では平均レベル検出回路ｃ１３の出力信号が選択される。ここでは、各ゲインコントロールアンプ回路の出力信号は、一例として図９に示されるように、ライトパルスに対応してピーク値が大きいインパルス状の信号波形（信号特性）となるため、この信号の振幅を精度良く検出するのは困難である。そこで、この場合には平均レベルを検出することとした。
【００９０】
次のステップ５０５では、目標電圧信号Ｓtgtに平均レベルの目標電圧（Ｖbとする）に対応する値を設定する。これにより、例えば、加算回路ｃ１の出力信号Ｓc1の平均レベル（Ｖav1とする）が目標電圧Ｖbの約１．５倍の場合（図９のＳc1参照）には、第１のゲインが約２／３となり、ゲインコントロールアンプ回路ｃ２の出力信号Ｓc2の平均レベル（Ｖav12とする）が目標電圧Ｖbとほぼ一致する（図９のＳc2参照）ようになる。また、例えば、加算回路ｃ１０の出力信号Ｓc10の平均レベル（Ｖav10とする）が目標電圧Ｖbの約２／３の場合（図９のＳc10参照）には、第２のゲインが約１．５倍となり、ゲインコントロールアンプ回路ｃ１１の出力信号Ｓc11の平均レベル（Ｖav11とする）が目標電圧Ｖbとほぼ一致する（図９のＳc11参照）ようになる。そして、減算回路ｃ１８の出力信号、すなわちウォブル信号Ｓwbは、平均レベルがほぼ０の信号となる（図９のＳwb参照）。
【００９１】
次のステップ５０７では、光ディスク１５の回転が所定の線速度に達していることを確認すると、サーボコントローラ３３に対してサーボオンを設定する。これにより、前述の如くトラッキング制御及びフォーカス制御が行われる。なお、トラッキング制御及びフォーカス制御は記録処理が終了するまで随時行われる。
【００９２】
次のステップ５０９では、記録速度に基づいてＯＰＣ（Optimum Power Control）を行い、最適な記録パワーを取得する。すなわち、記録パワーを段階的に変化させつつ、前記ＰＣＡ領域に所定のデータを試し書きした後、それらのデータを順次再生し、例えばＲＦ信号から検出されたアシンメトリの値が予め実験等で求めた目標値とほぼ一致する場合を最も高い記録品質であると判断し、そのときの記録パワーを最適な記録パワーとする。
【００９３】
次のステップ５１１では、デコーダ２８ｅからのアドレス情報に基づいて現在のアドレスを取得する。
【００９４】
次のステップ５１３では、現在のアドレスと目標アドレスとの差分（アドレス差）を算出する。
【００９５】
次のステップ５１５では、アドレス差に基づいてシークが必要であるか否かを判断する。ここでは前記シーク情報の一つとしてフラッシュメモリ３９に格納されている閾値を参照し、アドレス差が閾値を越えていれば、ここでの判断は肯定され、ステップ５１７に移行する。
【００９６】
このステップ５１７では、アドレス差に応じたシークモータの制御信号をモータドライバ２７に出力する。これにより、シークモータが駆動し、シーク動作が行なわれる。そして、前記ステップ５１１に戻る。
【００９７】
なお、前記ステップ５１５において、アドレス差が閾値を越えていなければ、ここでの判断は否定され、ステップ５１９に移行する。
【００９８】
このステップ５１９では、現在のアドレスが目標アドレスと一致しているか否かを判断する。現在のアドレスが目標アドレスと一致していなければ、ここでの判断は否定され、ステップ５２１に移行する。
【００９９】
このステップ５２１では、デコーダ２８ｅからのアドレス情報に基づいて現在のアドレスを取得する。そして、前記ステップ５１９に戻る。
【０１００】
以下、前記ステップ５１９での判断が肯定されるまで、ステップ５１９→５２１の処理を繰り返し行う。
【０１０１】
現在のアドレスが目標アドレスと一致すれば、前記ステップ５１９での判断は肯定され、ステップ５２３に移行する。
【０１０２】
このステップ５２３では、エンコーダ２５に書き込みを許可する。これにより、記録用データは、エンコーダ２５、レーザコントロール回路２４及び光ピックアップ装置２３を介して光ディスク１５に書き込まれる。記録用データがすべて書き込まれると、所定の終了処理を行った後、記録処理を終了する。
【０１０３】
以上の説明から明らかなように、本実施形態に係る光ディスク装置２０では、前記ウォブル信号検出回路２８ｃによって、プッシュプル信号生成回路が実現されている。そして、２つの振幅検出回路（ｃ３、ｃ１２）、２つの平均レベル検出回路（ｃ４、ｃ１３）、２つの切替スイッチ（ｃ５、ｃ１４）、２つの比較回路（ｃ６、ｃ１５）、２つのチャージポンプ（ｃ７、ｃ１６）、及び２つのコンデンサ（ｃ９、ｃ１７）によってゲイン決定回路が実現されている。
【０１０４】
また、本実施形態に係る光ディスク装置２０では、光ピックアップ装置２３、ＣＰＵ４０及び該ＣＰＵ４０によって実行されるプログラムとによって、処理装置が実現されている。しかしながら、本発明がこれに限定されるものではないことは勿論である。すなわち、上記実施形態は一例に過ぎず、上記のＣＰＵ４０によるプログラムに従う処理によって実現した処理装置の少なくとも一部をハードウェアによって構成することとしても良いし、あるいは全てをハードウェアによって構成することとしても良い。
【０１０５】
以上説明したように、本実施形態に係る光ディスク装置２０によると、前記ウォブル信号検出回路２８ｃでは、受光器ＰＤの受光領域ＰＤｂ（第１の受光領域の一部）からの光電変換信号と受光領域ＰＤｃ（第１の受光領域の一部）からの光電変換信号は加算回路ｃ１で加算される。そして、加算回路ｃ１の出力信号（第１の光電変換信号）は、ゲインコントロールアンプ回路ｃ２（第１の信号調整回路）により第１のゲインで調整される。一方、受光器ＰＤの受光領域ＰＤａ（第２の受光領域の一部）からの光電変換信号と受光領域ＰＤｄ（第２の受光領域の一部）からの光電変換信号は加算回路ｃ１０で加算される。この加算回路ｃ１０の出力信号（第２の光電変換信号）は、ゲインコントロールアンプ回路ｃ１１（第２の信号調整回路）により第２のゲインで調整される。
【０１０６】
この場合に、例えば各光電変換信号の信号特性に応じて、ゲインコントロールアンプ回路ｃ２の出力信号の振幅及び平均レベルの一方を選択して第１のゲインを決定し、かつゲインコントロールアンプ回路ｃ１１の出力信号の振幅及び平均レベルの一方を選択して第２のゲインを決定することにより、減算回路ｃ１８（差信号生成回路）の出力信号（プッシュプル信号）に含まれるノイズ成分を効率的に減少させることが可能となる。すなわち、従来よりも簡単な回路構成でノイズレベルの低いウォブル信号を生成することができる。従って、検出されるウォブル信号に含まれるノイズを低レベルに維持しつつ、ウォブル信号検出回路の小型化が可能となる。
【０１０７】
また、本実施形態に係る光ディスク装置２０によると、スパイラル状又は同心円状のトラックが形成された光ディスクの記録面からの反射光は、その受光面が４つの受光領域（ＰＤａ、ＰＤｂ、ＰＤｃ、ＰＤｄ）に分割されている受光器ＰＤで受光される。そして、ウォブル信号検出回路２８ｃにより、受光領域ＰＤｂ（第１の受光領域の一部）からの光電変換信号と受光領域ＰＤｃ（第１の受光領域の一部）からの光電変換信号とが加算された信号（第１の光電変換信号）と、受光領域ＰＤａ（第２の受光領域の一部）からの光電変換信号と受光領域ＰＤｄ（第２の受光領域の一部）からの光電変換信号とが加算された信号（第２の光電変換信号）との差信号（プッシュプル信号）が生成される。これにより、光ディスク１５の偏芯やピックアップ装置２３の組み付け誤差などがあっても、ウォブル信号検出回路２８ｃから出力されるウォブル信号に含まれるノイズ成分を効率的に減少させることができる。従って、記録面に形成される光スポットの位置を精度良く制御することが可能となり、結果として大型化を招くことなく、光ディスク１５に対する記録及び再生を安定して行うことができる。
【０１０８】
また、ウォブル信号検出回路２８ｃでは、再生の際には、ゲインコントロールアンプ回路ｃ２の出力信号の振幅が振幅の目標値とほぼ一致するように第１のゲインが決定され、かつゲインコントロールアンプ回路ｃ１１の出力信号の振幅が振幅の目標値とほぼ一致するように第２のゲインが決定される。また、記録の際には、ゲインコントロールアンプ回路ｃ２の出力信号の平均レベルが平均レベルの目標値とほぼ一致するように第１のゲインが決定され、かつゲインコントロールアンプ回路ｃ１１の出力信号の平均レベルが平均レベルの目標値とほぼ一致するように第２のゲインが決定される。これにより、受光器ＰＤからの光電変換信号の信号特性が記録時と再生時とで大きく異なる場合であっても、精度の良いウォブル信号を安定して取得することが可能となる。
【０１０９】
なお、上記実施形態では、前記光ディスク１５がＤＶＤ＋Ｒの規格に準拠する場合について説明したが、本発明がこれに限定されるものではなく、トラックが蛇行している光ディスクであれば良い。例えば、書き換え可能な光ディスクであるＤＶＤ＋ＲＷであっても良い。なお、この場合には、記録処理においても再生処理と同様に、前記選択信号Ｓselに０を設定し、前記目標電圧信号Ｓtgtに振幅の目標電圧に対応する値を設定するほうが良好な結果を得ている。
【０１１０】
また、上記実施形態では、第１の信号調整回路としてゲインコントロールアンプ回路が用いられる場合について説明したが、これに限定されるものではない。
【０１１１】
また、上記実施形態では、第２の信号調整回路としてゲインコントロールアンプ回路が用いられる場合について説明したが、これに限定されるものではない。
【０１１２】
また、上記実施形態では、前記ＣＰＵ４０から選択信号Ｓselと目標電圧信号Ｓtgtとを前記ウォブル信号検出回路２８ｃに出力する場合について説明したが、これに限らず、例えば図１０に示されるように、ウォブル信号検出回路２８ｃに、選択信号Ｓselに応じて振幅の目標値及び平均レベルの目標値の一方を選択して各比較回路に出力する目標値選択回路ｃ１９を備えても良い。この場合には、前記目標電圧信号Ｓtgtは不要となる。
【０１１３】
また、上記実施形態では、前記コンデンサの充放電を利用して前記各ゲインコントロールアンプ回路のゲインを調整する場合について説明したが、これに限定されるものではなく、例えばレジスタの設定値によってゲインが決定されるゲインコントロールアンプ回路が用いられる場合には、前記各比較回路での比較結果に応じてレジスタの設定値を変更する回路を設けても良い。この場合には、前記各チャージポンプ及び前記各コンデンサは不要となる。
【０１１４】
また、上記実施形態では、前記切替スイッチの後段に前記比較回路が配置される場合について説明したが、これに限らず、例えば前記振幅検出回路の後段に検出された振幅と振幅の目標値とを比較する比較回路を配置し、かつ前記平均レベル検出回路の後段に検出された平均レベルと平均レベルの目標値とを比較する比較回路を配置し、切替スイッチによって各比較回路の出力信号の一方を選択するようにしても良い。
【０１１５】
また、上記実施形態において、前記各切替スイッチの出力信号がほぼ等しくなるように前記第１のゲイン及び前記第２のゲインの少なくとも一方を決定しても良い。図１１には、一例として前記第２のゲインのみが決定される場合のウォブル信号検出回路が示されている。この場合には、前記切替スイッチｃ５の出力信号と前記切替スイッチｃ１４の出力信号が前記比較回路ｃ１５の入力信号となる。前記比較回路ｃ１５は、切替スイッチｃ５の出力信号と切替スイッチｃ１４の出力信号とを比較し、その比較結果を前記チャージポンプｃ１６に出力する。そして、前記チャージポンプｃ１６は、上記実施形態と同様に比較回路ｃ１５での比較結果に応じて前記コンデンサｃ１７の充電あるいは放電を行なう。これにより、前記ゲインコントロールアンプ回路ｃ１１の出力信号Ｓc11は、その振幅あるいは平均レベルが前記ゲインコントロールアンプ回路ｃ２の出力信号Ｓc2における振幅あるいは平均レベルとほぼ一致するように制御されることとなる。これにより、上記実施形態における比較回路ｃ６、チャージポンプｃ７、及びコンデンサｃ９が不要となり、更なる小型化及び低コスト化を図ることが可能となる。
【０１１６】
また、上記実施形態では、前記光ピックアップ装置２３が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。
【０１１７】
また、上記実施形態では、前記インターフェース３８がＡＴＡＰＩの規格に準拠する場合について説明したが、これに限らず、例えばＡＴＡ（AT Attachment）、ＳＣＳＩ（Small Computer System Interface）、ＵＳＢ（Universal Serial Bus）１．０、ＵＳＢ２．０、ＩＥＥＥ１３９４、ＩＥＥＥ８０２．３、シリアルＡＴＡ及びシリアルＡＴＡＰＩのうちのいずれかの規格に準拠しても良い。
【図面の簡単な説明】
【０１１８】
【図１】本発明の一実施形態に係る光ディスク装置の構成を示すブロック図である。
【図２】図１における光ピックアップ装置の構成を説明するための図である。
【図３】図２の受光器を説明するための図である。
【図４】図１における再生信号処理回路の構成を説明するためのブロック図である。
【図５】図４のウォブル信号検出回路の構成を説明するためのブロック図である。
【図６】ホストからの再生要求コマンドに応じて行なわれる光ディスク装置における再生処理を説明するためのフローチャートである。
【図７】再生処理における図４のウォブル信号検出回路の作用を説明するための波形図である。
【図８】ホストからの記録要求コマンドに応じて行なわれる光ディスク装置における記録処理を説明するためのフローチャートである。
【図９】記録処理における図４のウォブル信号検出回路の作用を説明するための波形図である。
【図１０】図４のウォブル信号検出回路の別の構成例（その１）を説明するためのブロック図である。
【図１１】図４のウォブル信号検出回路の別の構成例（その２）を説明するためのブロック図である。
【符号の説明】
【０１１９】
１５…光ディスク、２０…光ディスク装置、２３…光ピックアップ装置（処理装置の一部）、２８ｃ…ウォブル信号検出回路（プッシュプル信号生成回路）、４０…ＣＰＵ（処理装置の一部）、ｃ２…ゲインコントロールアンプ回路（第１の信号調整回路）、ｃ３，ｃ１２…振幅検出回路（ゲイン決定回路の一部）、ｃ４，ｃ１３…平均レベル検出回路（ゲイン決定回路の一部）、ｃ５，ｃ１４…切替スイッチ（ゲイン決定回路の一部）、ｃ６，ｃ１５…比較回路（ゲイン決定回路の一部）、ｃ７，ｃ１６…チャージポンプ（ゲイン決定回路の一部）、ｃ９，ｃ１７…コンデンサ（ゲイン決定回路の一部）、ｃ１１…ゲインコントロールアンプ回路（第２の信号調整回路）、ｃ１８…減算回路（差信号生成回路）、ＰＤ…受光器（光検出器）。
【要約】
【課題】大型化を招くことなく、光ディスクに対する記録及び再生を安定して行う。
【解決手段】第１の光電変換信号Ｓc1は第１の信号調整回路ｃ２により第１のゲインで調整され、第２の光電変換信号Ｓc10は第２の信号調整回路ｃ１１により第２のゲインで調整される。そして、ゲイン決定回路により、第１の信号調整回路の出力信号の振幅及び平均レベルの一方に基づいて第１のゲインが決定され、第２の信号調整回路の出力信号の振幅及び平均レベルの一方に基づいて第２のゲインが決定される。この場合に、各光電変換信号の信号特性に応じて、各信号調整回路の出力信号の振幅及び平均レベルの一方を選択して各ゲインを決定することにより、差信号生成回路ｃ１８の出力信号Ｓwbに含まれるノイズ成分を効率的に減少させることが可能となる。
【選択図】図５
【図１】
0003566717.tif 000002
【図２】
0003566717.tif 000003
【図３】
0003566717.tif 000004
【図４】
0003566717.tif 000005
【図５】
0003566717.tif 000006
【図６】
0003566717.tif 000007
【図７】
0003566717.tif 000008
【図８】
0003566717.tif 000009
【図９】
0003566717.tif 000010
【図１０】
0003566717.tif 000011
【図１１】
0003566717.tif 000012